(57)【要約】  【課題】  排泄物の処理過程で臭気を除去するようにした排泄物処理装置の提供。  【解決手段】陰部及び肛門を含む排泄部近傍を包囲して身体に取り付けられるオムツカップ１に接続してこのオムツカップ１の排泄物を吸引し溜める汚物タンク２１と、負圧を発生させオムツカップ１から排泄物を汚物タンク２１へ吸引する機能を有する負圧吸引手段２８とを有する排泄物の処理装置である。この処理装置は、吸引される空気から臭気を除去するための臭気除去装置２８を、汚物タンク２１と負圧吸引手段２２の間に設けた。この臭気除去装置２８には、臭気除去材として吸着力に優れた竹炭部材２８ａを使用した。この結果、汚物タンク２１から負圧吸引手段２２に吸引される途中の空気から臭気を除去でき、使用者の室内を臭気のない快適な空間とすることができた。  【選択図】  図２
2007082600.tif 000002
【特許請求の範囲】
【請求項１】
陰部及び肛門を含む排泄部近傍を包囲して身体に取り付けられるオムツカップに接続してこのオムツカップの排泄物を含む汚物を吸引し溜める汚物タンクと、負圧を発生させ前記オムツカップから前記汚物を前記汚物タンクへ吸引する機能を有する負圧吸引手段とを有する排泄物の処理装置において、
前記処理装置は、前記負圧吸引手段に吸引される空気から臭気を除去するための臭気除去装置を、前記汚物タンクと前記負圧吸引手段の間に設けた
ことを特徴とする臭気除去機能を有する排泄物処理装置。
【請求項２】
請求項１に記載された臭気除去機能を有する排泄物処理装置において、
前記臭気除去装置は、前記負圧吸引手段に隣接して設けられ、前記負圧吸引手段に吸引される直前の空気から臭気を除去するようにした
ことを特徴とする臭気除去機能を有する排泄物処理装置。
【請求項３】
請求項１又は２に記載された臭気除去機能を有する排泄物処理装置において、
前記臭気除去装置は、竹炭部材を使用して臭気を除去するようにした装置である
ことを特徴とする臭気除去機能を有する排泄物処理装置。
【請求項４】
請求項３に記載された臭気除去機能を有する排泄物処理装置において、
前記竹炭部材は、前記臭気除去装置に交換可能に設けられ繰り返し使用が可能な構成になっているものである
ことを特徴とする臭気除去機能を有する排泄物処理装置。
【請求項５】
請求項３又は４に記載された臭気除去機能を有する排泄物処理装置において、
前記竹炭部材は、ハニカム構造になっている
ことを特徴とする臭気除去機能を有する排泄物処理装置。
【発明の詳細な説明】
【技術分野】
【０００１】
本発明は、通常の体位では排泄できない人、歩行に障害等がありトイレにいけない人、あるいは、いわゆる寝たきりの老人等に利用される臭気除去機能を有する排泄物処理装置に関する。更に詳しくは、寝たきりの人等が寝たままの状態であっても自動的に排泄物を吸引回収する際、排泄物から発生する臭気を除去するようにした臭気除去機能を有する排泄物処理装置に関する。
【背景技術】
【０００２】
従来から排泄物の処理装置技術は、数多く提案されている。代表的なものは腰臀部を覆って使用されるオムツそのものであるが、オムツカップで包囲しているものも多く知られている。又、差込式便器や便器付きの介護用ベッドなども知られている。オムツカップの場合は、排泄物を自動的に吸引回収するものが知られており、この吸引された排泄物を含む汚物は汚物タンクに溜められる。
【０００３】
この処理過程で、尿や洗浄水の水分が、オムツカップと装置本体の間を循環する空気の流れに乗って汚物タンクから外部に漏れるのを防止する技術が知られている（例えば、特許文献１参照）。また、この技術では、空気清浄用活性炭を内蔵しているフィルタボックスで、循環する空気から、排泄物が発生する臭気を脱臭することが記載されている。又、減圧タンクを負圧にして減圧効果を高め臭気を吸い込み移送する技術も知られている（例えば、特許文献２参照）。
【特許文献１】特許第３３０５２３８号公報
【特許文献２】特開２００２−１５３５２２号公報
【発明の開示】
【発明が解決しようとする課題】
【０００４】
しかしながら、従来から種々な装置の提案が試みられているものの、汚物臭気を完全に除去する装置においては、まだ多くの問題点を残し改善の余地があるのが現状である。腰臀部との密着性をよくしてオムツカップの周囲から洗浄水や汚物の漏れを防止することで開発されたものであっても、完全ではなく長時間に亘るとどうしても臭気が生じ室内に充満し生活環境を悪化させているのが現状である。
【０００５】
オムツカップから吸引回収される排泄物は、前述のように汚物タンクに回収されている。この汚物タンクは他の装置と一緒にまとめられて処理装置として構成され、使用者の寝ているベッド近傍に置かれる。従って、置かれる場所は病室あるいは家庭内の室内等であり、使用者の居場所、介護者、看護士等の作業場所でもある。この処理装置は、汚物タンクの他に送水装置、送風装置、バキュームモータハウジング、フィルタボックス、コントローラ等がセットになったもので公知である。
【０００６】
通常、汚物タンクからは、バキュームモータハウジングのサクションモータにより負圧を発生させ、オムツカップとこの処理装置間を循環する空気をフィルタボックスに流し、フィルタボックスに流れた空気を再度オムツカップに流し再利用している。しかし、この循環する空気はバキュームモータハウジングに取り込まれる際などに、僅かではあるが臭気が外部に漏れる恐れがあった。
【０００７】
この場合臭気は連続して流れ続けるので、例え僅かであってもたちまち室内に悪臭として充満してしまうことになり、室内環境の悪化を招いてしまう結果となっていた。又、前述の特許文献による公知の技術は、臭気を完全に除去するには不十分である。例えば、特許文献１の技術において、フィルタボックスを通過する前の空気から臭気が漏れており、フィルタボックスは活性炭として備えられているものの寿命がありメンテナンスにおいて難点があった。
【０００８】
又、前述のフィルタボックスによる浄化技術は、サクションモータで吸引された後の空気の浄化になっていて、サクションモータに取り込まれる空気の浄化のものではない。サクションモータ前後の空気は臭気を含む。サクションモータには、例えば回転部分と非回転部分（固定部分）とがあり、この間には隙間等有し完全に密封できるものでない。そのため、少量ではあるが臭気を含む空気がサクションモータから外部に漏れ分散する傾向にあり、装置周囲に悪臭を流していた。又、特許文献２においては、減圧にして臭気を汚物タンクに閉じ込めるものであるが、汚物タンクから臭気を除去する方法についての記載はなく、臭気除去対策としては不充分なものであった。
【０００９】
本発明は、このような従来の問題点を解決するもので、臭気を完全に取り除くようにしたものである。即ち、本発明は、このような従来の問題点を解決するために想起されたもので、下記の目的を達成する。
【００１０】
本発明の目的は、処理装置の汚物タンクと負圧吸引手段との間に臭気除去装置を設け、臭気を含む空気から臭気を除去し、この臭気を除去した空気を臭気を漏らす恐れがある負圧吸引手段に取り込まれるようにして、室内に臭気が充満することのないように構成した臭気除去機能を有する排泄物処理装置を提供することにある。
【課題を解決するための手段】
【００１１】
本発明は、前記目的を達成するために次の手段をとる。
【００１２】
本発明１の臭気除去機能を有する排泄物処理装置は、
陰部及び肛門を含む排泄部近傍を包囲して身体に取り付けられるオムツカップに接続してこのオムツカップの排泄物を含む汚物を吸引し溜める汚物タンクと、負圧を発生させ前記オムツカップから前記汚物を前記汚物タンクへ吸引する機能を有する負圧吸引手段とを有する排泄物の処理装置において、前記処理装置は、前記負圧吸引手段に吸引される空気から臭気を除去するための臭気除去装置を、前記汚物タンクと前記負圧吸引手段の間に設けたことを特徴とする。
【００１３】
本発明２の臭気除去機能を有する排泄物処理装置は、本発明１において、
前記臭気除去装置は、前記負圧吸引手段に隣接して設けられ、前記負圧吸引手段に吸引される直前の空気から臭気を除去するようにしたことを特徴とする。
【００１４】
本発明３の臭気除去機能を有する排泄物処理装置は、本発明１又は２において、
前記臭気除去装置は、竹炭部材を使用して臭気を除去するようにした装置であることを特徴とする。竹炭部材は、吸着力にすぐれている。
【００１５】
本発明４の臭気除去機能を有する排泄物処理装置は、本発明３において、
前記竹炭部材は、前記臭気除去装置に交換可能に設けられ繰り返し使用が可能な構成になっているものであることを特徴とする。交換が容易で、メンテナンスが楽になる。
【００１６】
本発明５の臭気除去機能を有する排泄物処理装置は、本発明３又は４において、
前記竹炭部材は、ハニカム構造になっていることを特徴とする。この構造にすることで、表面積が大きくなり、浄化効率を高めることができる。
【発明の効果】
【００１７】
本発明は、オムツカップと汚物タンクとの間、及び汚物タンクとバキュームモータハウジングとの間を循環する空気から臭気を取り除くようにしたので、汚物処理装置が使用者（被介護者、病人、寝たきり老人等）、介護者、看護士などのいる室内に置かれても、臭気が室内に充満することなくなった。使用者、介護者、看護士などは気分を害することなく、室内の環境を悪化させることなく、快適な環境状態の中で生活することができるようになった。この結果、介護者などの介護作業の能率も向上することとなり、この臭気によるストレスをためるようなことも少なくなった。特に、冬季、梅雨時期など窓を開放するのが難しいときでも、快適に生活することができるようになった。
【発明を実施するための最良の形態】
【００１８】
本発明の実施の形態を図面に基づいて詳細に説明する。
図１は、オムツカップを中心とする排泄物処理装置の断面図で、使用者の身体にオムツカップとオムツカバーを取り付けた状態を示している。図２は本発明の排泄物を処理する処理装置で、臭気除去装置を設けて臭気を除去するようにした臭気除去機能を有する排泄物処理装置の構成を示すブロック図である。図３は、臭気除去機能を有する排泄物処理装置の主要部をなす臭気除去装置の構成部材をなすハニカム構造の竹炭部材の外観図である。
【００１９】
図において、本発明の臭気除去機能を有する排泄物処理装置２０のオムツカップ１は公知の構成のものである。基本構成については、特許文献に詳細が記載されているので、詳細説明は省略する。本発明の理解を容易にするため、オムツカップ１の概要を説明する。オムツカップ１は、図に示すように身体３の陰部、肛門等の排泄部を包囲する樹脂体等で構成されている。オムツカップ本体２は例えばウレタン樹脂等の硬質の合成樹脂（軟質の合成樹脂でもよい）で構成されている。また、オムツカップ本体２の身体に接する接触部分２ａは柔軟な材質の合成樹脂、エラストマ、ゴム等で構成され、身体に密着しオムツカップ本体２から排泄物等が漏洩しないようになっている。また、この接触部分２ａを柔軟な材質の合成樹脂等で形成していることにより、鬱血、褥瘡等の発生防止が図られている。
【００２０】
オムツカップ本体２は略Ｕ字形状に成形されたものになっている。オムツカップ本体２には、中央部の内側に窪み４を形成し、上端に、身体３にこのオムツカップ本体２を固定する固定部材であるベルト５が着脱可能に設けられ、オムツカップ本体２との間は帯状の連結部材６で連結している。オムツカップ本体２の下端の配管・配線の接続部２ｂには、配管（ホース）、配線（ケーブル）等の給排路部材が取り付けられている。
【００２１】
更に詳しく説明すると、オムツカップ本体２には連結部材６、陰部洗浄用ノズル７、肛門洗浄用ノズル８、カップ洗浄用ノズル９、大便感知センサ１０、小便感知センサ１１、及び、温風吹き出し口１２などを備えている。又、これに伴ないオムツカップ本体２の下端の配管・配線の接続部２ｂには、外部側に突出して排泄物を含む汚物回収のための汚物吸引用ホース（配管）１３と、洗浄水供給用ホース（配管）１４と、送風用ホース（配管）１５と、センサ用ケーブル（信号線）１６が設けられている。
【００２２】
このオムツカップ１は以上のような構成になっているが、身体３に取り付けるときは、ベルト５を開放した状態でオムツカップ本体２を身体３の排泄部を包囲するように当て、位置が定まったところで固定部材、即ちベルト５を固定する。このベルト５の固定には、ワンタッチで着脱の容易なテープ状のマジックテープ（登録商標）５ａ等を使用するとよい。オムツカップ本体２の中央部分は排泄物等の滞留部分で窪み４構成になっている。
【００２３】
窪み４の周縁部は、フレーム状に段差の設けられた構成となっており、この周縁部の身体と接触する部分が、柔軟な材質の合成樹脂、エラストマ、ゴム等で形成されている。この窪み４は排泄部から排泄された排泄物を含む汚物等をオムツカップ１の外部に漏洩するのを避ける構造になっている。又、前述したホース等の部材はこの窪み４部分の下部に接続されている。又、ノズル、センサ等もこの窪み４内に設けられている。排泄物を含む汚物は汚物吸引用ホース１３を介してサクションポンプ２２ａ等により吸引され、別置の汚物タンク２１に回収される。洗浄水供給用ホース１４は、陰部洗浄用ノズル７と、肛門洗浄用ノズル８と、カップ洗浄用ノズル９とに接続している。別置の洗浄水タンク２３から例えば所定の温度に温められた温水を供給している。
【００２４】
送風用ホース１５は、乾燥した温風等を送り込むためのものである。この温風によって陰部、肛門等の排泄部及び排泄部近傍を乾燥させている。センサ用ケーブル１６は、大便感知センサ１０と、小便感知センサ１１の感知信号を制御装置３０のシーケンサ２７に伝達するためのものである。配線の詳細は図示していないが、大便感知センサ１０と、小便感知センサ１１からのセンサ用ケーブル１６は窪み４内を這わせてセンサ用コネクタに接続されている。これら汚物吸引用ホース１３、洗浄水供給用ホース１４、送風用ホース１５、センサ用ケーブル１６はいずれもオムツカップ本体２の配管・配線の接続部２ｂに対し着脱自在である。
【００２５】
このような構成になるオムツカップ本体２からの排泄物を含む汚物は、大便感知センサ１０または小便感知センサ１１により排泄物の存在が検知されると、サクションポンプ２２ａが作動し汚物吸引用ホース１３を介して強制的に回収される。洗浄水供給用ホース１４からは洗浄水が供給され、陰部洗浄用ノズル７、肛門洗浄用ノズル８、及び、カップ洗浄用ノズル９とから分散して噴出される。また、洗浄水は、大便、小便の判別により、所要のノズルから噴出し排泄部及び排泄部近傍を洗浄する。洗浄水が排泄部及び排泄部近傍を洗浄することで汚れたり、排泄物と混じり合ったりした排泄物を含む汚物は、汚物吸引用ホース１３から吸引回収される。
【００２６】
これらの処理動作は使用者（被介護者、病人、寝たきり老人等）が就寝中であっても行われる。また、使用者が身体の向きを変えたり、寝返りをうったり等の動作を行っても、オムツカップ１は接触部分２ａが身体３に密着した状態を維持するようにしている。さらに、排泄物が排泄された場合、その都度自動的に排泄物の存在を検知して排泄物を常時吸引回収するようになっている。本実施の形態においては、このように構成されるオムツカップ１に対し、そのオムツカップ１を覆うオムツカバー体として、使用後廃棄が可能ないわゆる使い捨て可能な紙オムツタイプであるオムツカバー体１７を適用している。
【００２７】
次に、汚物吸引用ホース１３を介して回収される排泄物の処理装置について図２をもとに説明する。この処理装置は、本発明の臭気除去機能を有する排泄物処理装置２０において、オムツカップ１に接続されて室内に置かれる処理装置である。回収された排泄物及びそれに付随する汚水等からなる汚物を吸引し処理するための処理装置である本実施の形態においては、前述の処理に加え臭気を除去する機能を付加したものとなっている。図２は、この処理装置を示す図であるが、個々の装置をブロックの形態にした簡略構成の説明図である。
【００２８】
この処理装置は、汚物タンク２１と、負圧吸引手段であるバキュームポンプハウジング２２と、洗浄水タンク２３と、送水ポンプ２４と、制御パネル２６及びシーケンサ（又はプログラマブルコントローラ）２７で構成される制御装置３０とで構成され、更に、本発明の主要部をなす臭気除去装置２８がバキュームポンプハウジング２２に隣接して設けられている。この臭気除去装置２８はバキュームポンプハウジング２２と汚物タンク２１との間のどの位置に設置してもよいが、バキュームポンプハウジング２２のサクションポンプ２２ａの近傍に設けた方が好ましい。
【００２９】
この処理装置は図示していないが、キャスタ付きの筐体形状をなし、室内の任意位置に移動設置が可能である。バキュームポンプハウジング２２は、排泄物を含む汚物を吸引するための負圧を発生させるサクションポンプ２２ａ、サクションポンプ２２ａを回転させるためのサクションポンプ用モータ２２ｂを内蔵している。サクションポンプ用モータ２２ｂとシーケンサ２７とはケーブル（電線）２７ｅで接続されている。このバキュームポンプハウジング２２には、バキュームホース３１、臭気除去装置２８を介して汚物タンク２１に接続される吸引口２２ｃと、この吸引口２２ｃから吸引した空気を排出する第１の排出口２２ｄと、サクションポンプ用モータ２２ｂに外気を導入するモータ冷却用吸気口２２ｅと、このモータ冷却用吸気口２２ｅから導入した外気を排出する第２の排出口２２ｆとを備えている。
【００３０】
モータ冷却用吸気口２２ｅから吸気され、サクションポンプ用モータ２２ａが発生する熱によって暖められた空気は、第２の排出口２２ｆから第２排出路３３を介して排出される。第１の排出口２２ｄから排出される脱臭済みの空気は第１排出路３２を介して排出され、排出路の混合部３４で第２排出路３３の空気と混合され、送風用ホース１５によってオムツカップ１に送風される。
【００３１】
汚物タンク２１は、オムツカップ１から汚物吸引用ホース１３を介して、サクションポンプ２２ａによって吸引される排泄物を含む汚物を溜めるタンクである。汚物と一緒に吸引される空気は、汚物タンク２１内で渦巻き状に回転させて重量の重い汚物や洗浄水と、軽量な空気とを遠心力により分離している。その他汚物類のミストを衝突させて分離するセパレータや汚物量を検出する汚物量センサ（図示せず）等が設けられている。汚物量センサとシーケンサ２７とは、ケーブル２７ａで接続されている。
【００３２】
洗浄水タンク２３は、オムツカップ１に所定の温度の温水を供給するためのタンクである。この洗浄水タンク２３に付随して加熱及び保温するヒーター２３ａと、簡易的に水温を確認する温度計２３ｂと、温度検出センサとしての機能を兼備した水位検出センサ２３ｃ等を備えている。洗浄水タンク２３の温水は送水ポンプ２４を介して洗浄水送水ホース１４によりオムツカップ１に送られる。シーケンサ２７は、ヒーター２３ａとケーブル（電線）２７ｄで、水位検出センサ２３ｃとケーブル（信号線）２７ｃで接続されている。又、シーケンサ２７と送水ポンプ２４は、ケーブル（電線）２７ｂで接続されている。
【００３３】
操作パネル２６は、主に介護者、看護士などが操作するスイッチや表示ランプ等が設けられている。シーケンサ２７は、オムツカップ１に配置された大便感知センサ１０、小便感知センサ１１、汚物タンク２１に配置された汚物量センサ、水位検出センサ２３ｃ等の信号を受けて、サクションポンプ用モータ２２ｂ、送水ポンプ２４、ヒーター２３ａ等を動作させて、オムツカップ１の状態を最適に維持できるように制御するためのものである。また、シーケンサ２７は、洗浄水タンク２３の洗浄水が所定の量より少なくなった場合や汚物タンク２１の汚物の量が所定の量より多く溜まった場合には処理を停止し、その旨を介護者、看護士などに通知したり表示したりする制御を行う。
【００３４】
次に本発明の主要部をなす臭気除去装置２８について説明する。この臭気除去装置２８は、オムツカップ１、汚物タンク２１、及び、バキュームポンプハウジング２２に、サクションポンプ２２ａによって循環して流れる臭気を含む空気の浄化のためのもので、空気に含まれる臭気を除去する装置である。この臭気除去装置２８は、汚物タンク２１とサクションポンプ２２ａとの間に設けられ、本実施の形態においてはバキュームポンプハウジング２２に隣接して設けられている。
【００３５】
即ち、汚物タンク２１からバキュームポンプハウジング２２のサクションポンプ２２ａで吸引される臭気を含む空気から、サクションポンプ２２ａに吸引される前に臭気除去装置２８を配置して臭気を除去するものである。すなわち、汚物タンク２１、バキュームホース３１は、空気が流れる流路が密閉された状態にあり、臭気を含む空気はどこにも漏洩することなく臭気除去装置２８に送られ、臭気が除去される。この臭気が除去された空気が、サクションポンプ２２ａに吸引されることになる。仮にサクションポンプ２２ａの非回転部分と回転部分の間等から少量の空気が漏洩しても、この空気には臭気はないので室内に臭気がただようようなことがない。
【００３６】
この臭気除去装置２８の主要構成をなすものは、竹炭部材（竹炭粉末成型品  商品名：チクノキューブ（ＣＨＩＫＵＮＯ  ＣＵＢＥ），製造元；株式会社チクノライフ）２８ａである。この竹炭部材２８ａは図３に示すように、竹炭粉末をハニカム構造２８ｂに成形したもので表面積の大きい部材である。
【００３７】
竹炭そのものは、無数の微細孔を有するパイプを重ねたような材質のもので、吸着力に優れた部材である。又、臭気除去の浄化等に使用された後も、天日干しすることで元の効力を回復するので再使用が可能である。この竹炭は消臭効果、脱臭効果、空気清浄効果に優れた性質を有している。本発明はこのように優れた性質を有する竹炭を臭気除去に利用するものである。
【００３８】
臭気除去装置２８に、ハニカム構造２８ｂの竹炭部材２８ａを図の矢印で示す方向に臭気を含む空気を流すように設置する。この竹炭部材２８ａは、詳細は図示していないが複数個着脱自在に並べて設置すると効果的である。この竹炭部材２８ａは、例えば月に一度太陽光に５〜６時間当てれば再使用が可能なものである。図示していないが、この竹炭部材２８ａを臭気除去装置２８の本体に介護者などが容易に交換着脱できるように設置する。
【００３９】
この竹炭部材２８ａは小型で軽量であり扱いが容易である上、予備として常時身近に置いておくことも可能であり、交換作業を簡単にしてメンテナンスを容易にすることができる。このハニカム構造２８ｂになる竹炭部材２８ａは前述したように非常に吸着力に優れているので、汚物タンク２１、オムツカップ１及びバキュームポンプハウジング２２との間で循環して流れる空気から臭気を完全に除去することができる。このため臭気を含む空気が装置内で循環しても、このように処理する過程で殆ど除去できるので外部に漏れ出るようなことは解消される。
【００４０】
本発明の臭気除去機能を有する排泄物処理装置の他の実施の形態の説明を行う。この処理装置は、臭気除去装置内又は臭気除去装置の近傍に除湿剤又は除湿装置（図示せず）を設けたものであってもよい。この除湿剤又は除湿装置は、臭気除去装置に入る直前の空気から湿気を除去するようにするとよい。除湿剤としては、シリカゲル、石灰、塩化カルシウムなどが使用できる。このように、臭気除去装置の近傍に除湿剤を設けると、竹炭部材の高寿命化が図れとともに、循環する空気の水分（湿気）を除去することができる。すなわち、室内に漏れる空気から湿気を除去しているので、室内がじめじめせず快適に生活できる。仮に、サクションポンプ２２ａの非回転部分と回転部分の間等から少量の空気が漏洩しても、この空気には湿気はないので室内に湿気がただようようなことがない。すなわち、臭気と湿気の両方の除去が図れる。
【００４１】
以上、本発明の実施の形態を説明したが、本発明はこの実施の形態に限定されない。本発明の目的、趣旨を逸脱しない範囲内での変更が可能であることはいうまでもない。
【図面の簡単な説明】
【００４２】
【図１】図１は、オムツカップを中心とする排泄物処理装置の断面図である。
【図２】図２は、臭気除去装置を含む排泄物処理装置の構成を示すブロック図である。
【図３】図３は、ハニカム構造の竹炭部材を示す外観図である。
【符号の説明】
【００４３】
１…オムツカップ
２…オムツカップ本体
３…身体
４…窪み
５…ベルト
１３…汚物吸引ホース
２０…臭気除去機能を有する排泄物処理装置
２１…汚物タンク
２２…バキュームポンプハウジング（負圧吸引手段）
２２ａ…サクションポンプ
２８…臭気除去装置
２８ａ…竹炭部材
【図１】
2007082600.tif 000003
【図２】
2007082600.tif 000004
【図３】
2007082600.tif 000005